(57)【要約】【課題】  防水機能を滅失させることなく、電源プラグ差込口からの盗電を有効に防止できる屋外コンセント用の盗電防止装置を提供する。【解決手段】  屋外壁面Ｍに固定される取付プレート１と、電源プラグ差込口３７を取り囲む庇部３５を有し、前記取付プレート１を包囲する防水部材２１，２２で水封されて、該取付プレート１に対してねじ止めされるコンセント本体３と、前記電源プラグ差込口３７に差し込まれた電源プラグＰを包囲するための盗電防止カバー４と、前記取付プレート１におけるコンセント本体ねじ止め用のねじ孔１６（１５）を利用して前記盗電防止カバー４をコンセント本体３に取り外し可能に止着するカバー止着手段５とを備える。【選択図】  図２
2005259411.tif 000002
【特許請求の範囲】
【請求項１】
屋外壁面に固定される取付プレートと、電源プラグ差込口を取り囲む庇部を有し、前記取付プレートを包囲する防水部材で水封されて、該取付プレートにねじ止めされるコンセント本体とを備えた屋外コンセントに装着される盗電防止装置であって、
前記電源プラグ差込口に差し込まれた電源プラグを包囲するための盗電防止カバーと、
前記取付プレートにおけるコンセント本体ねじ止め用のねじ孔を利用して前記盗電防止カバーをコンセント本体に取り外し可能に止着するカバー止着手段と、
を備えていることを特徴とする屋外コンセント用の盗電防止装置。
【請求項２】
前記カバー止着手段は、盗電防止カバーの止着状態を解除可能にロックするロック機能部を有してなる請求項１に記載の屋外コンセント用の盗電防止装置。
【請求項３】
前記カバー止着手段は、
先端側に前記ねじ孔に螺合する雄ねじが形成され、基端面にねじ孔が形成された棒状のスペーサ部材と、
前記盗電防止カバーを貫通して前記スペーサ部材のねじ孔に螺入される押さえねじと、
前記盗電防止カバーの外面に形成されて、前記押さえねじの頭を、その頂面が臨出しない状態に収容させる凹部とを備え、
前記ロック機能部は、
前記押さえねじの頭と前記凹部とにより構成されている請求項２に記載の屋外コンセント用の盗電防止装置。
【請求項４】
前記押さえねじの頭には、作業者専用のねじ回し工具のみに嵌合する嵌合部が形成されている請求項３に記載の屋外コンセント用の盗電防止装置。
【請求項５】
前記ロック機能部の操作が前記盗電防止カバーの前面側から行うように構成されている請求項２〜４のいずれかに記載の屋外コンセント用の盗電防止装置。
【請求項６】
屋外壁面に固定される取付プレートと、
電源プラグ差込口を取り囲む庇部を有し、前記取付プレートを包囲する防水部材で水封されて、該取付プレートにねじ止めされるコンセント本体と、
前記電源プラグ差込口に差し込まれた電源プラグを包囲するための盗電防止カバーと、
前記取付プレートにおけるコンセント本体ねじ止め用のねじ孔を利用して前記盗電防止カバーをコンセント本体に取り外し可能に止着するカバー止着手段と、
を備えていることを特徴とする屋外コンセント。
【発明の詳細な説明】
【技術分野】
【０００１】
この発明は、屋外に設置される自動販売機等の電気機器に対する電源供給のために屋外壁面に固定される屋外コンセントの無断使用などを防止するための屋外コンセント用の盗電防止装置に関する。
【背景技術】
【０００２】
例えば、自動販売機などに使用される屋外コンセントは、一般に、屋外壁面に固定される取付プレートと、この取付プレートを包囲する防水部材で水封されて、前記取付プレートにねじ止めされたコンセント本体から構成されている。
【０００３】
このコンセント本体は、庇部を有し、その庇部の内側に端子台が電源プラグ差込口を略下向きにして配されており、この電源プラグ差込口に自動販売機からの電源コードの先端の電源プラグを差し込むようになっている。さらに多くのものは差し込み状態の電源プラグを一定角度回転させて抜け止めも図っている。
【０００４】
しかし、屋外コンセントにおいては、電源プラグ差込口に差し込まれた電源プラグが外部に露出していることから、抜け止めがされた電源プラグであっても、人為的に電源プラグを引き抜くことはできる。このため、深夜などに電源プラグを勝手に引き抜き、空いた電源プラグ差し込み口により無断で携帯電話などの機器を充電させたりする盗電行為も少なくなく、さらに悪質には、電動工具の電源プラグを差し込み、該電動工具を使って自動販売機を荒す事件なども起きている。
【０００５】
このような事態を防止するため、従来、コンセント本体に対して前後のカバーを用意し、裏側カバーを取付プレートと屋外壁面との間に挟持させ、前記コンセント本体における庇部の前面に配設した表カバーと前記裏カバーとを結合して両者間を施錠した盗電防止装置が提案されている（特許文献１）。
【特許文献１】実用新案登録第３０９７５６６号（第３頁、第１図）。
【発明の開示】
【発明が解決しようとする課題】
【０００６】
ところで、この種のコンセントでは、コンセント本体の後面側に、取付プレートの全周を取り囲むＯリングなどの防水部材を配置し、屋外壁面に伝わる雨滴がコンセント本体側に侵入するのを防止してある。
【０００７】
しかしながら、上記した従来の盗電防止装置では、前記裏側カバーを取付プレートと屋外壁面との間に裏側カバーを配置しているので、前記コンセント本体側の防水部材による防水機能が裏側カバーにより滅失されてしまうという問題がある。
【０００８】
この発明は、上記実情に鑑みてなされたものであり、防水機能を滅失させることなく、電源プラグ差込口からの盗電行為を防止できる屋外コンセント用の盗電防止装置を提供することを課題としている。
【課題を解決するための手段】
【０００９】
本発明は、以下の手段を提供する。すなわち、
［１］屋外壁面に固定される取付プレートと、電源プラグ差込口を取り囲む庇部を有し、前記取付プレートを包囲する防水部材で水封されて、該取付プレートにねじ止めされるコンセント本体とを備えた屋外コンセントに装着される盗電防止装置であって、
前記電源プラグ差込口に差し込まれた電源プラグを包囲するための盗電防止カバーと、
前記取付プレートにおけるコンセント本体ねじ止め用のねじ孔を利用して前記盗電防止カバーをコンセント本体に取り外し可能に止着するカバー止着手段と、
を備えていることを特徴とする屋外コンセント用の盗電防止装置。
【００１０】
［２］前記カバー止着手段は、盗電防止カバーの止着状態を解除可能にロックするロック機能部を有してなる前項１に記載の屋外コンセント用の盗電防止装置。
【００１１】
［３］前記カバー止着手段は、
先端側に前記ねじ孔に螺合する雄ねじが形成され、基端面にねじ孔が形成された棒状のスペーサ部材と、
前記盗電防止カバーを貫通して前記スペーサ部材のねじ孔に螺入される押さえねじと、
前記盗電防止カバーの外面に形成されて、前記押さえねじの頭を、その頂面が臨出しない状態に収容させる凹部とを備え、
前記ロック機能部は、
前記押さえねじの頭と前記凹部とにより構成されている前項２に記載の屋外コンセント用の盗電防止装置。
【００１２】
［４］前記押さえねじの頭には、作業者専用のねじ回し工具のみに嵌合する嵌合部が形成されている前項３に記載の屋外コンセント用の盗電防止装置。
【００１３】
［５］前記ロック機能部の操作が前記盗電防止カバーの前面側から行うように構成されている前項２〜４のいずれかに記載の屋外コンセント用の盗電防止装置。
【００１４】
［６］屋外壁面に固定される取付プレートと、
電源プラグ差込口を取り囲む庇部を有し、前記取付プレートを包囲する防水部材で水封されて、該取付プレートにねじ止めされるコンセント本体と、
前記電源プラグ差込口に差し込まれた電源プラグを包囲するための盗電防止カバーと、
前記取付プレートにおけるコンセント本体ねじ止め用のねじ孔を利用して前記盗電防止カバーをコンセント本体に取り外し可能に止着するカバー止着手段と、
を備えていることを特徴とする屋外コンセント。
【発明の効果】
【００１５】
上記発明［１］にかかる盗電防止装置によると、電源プラグの周囲を覆うための盗電防止カバーを取付プレート側のねじ孔を利用したカバー止着手段によりコンセント本体に止着してあるので、盗電防止カバーが開けられない限り、電源プラグを引き抜くことができず、電源プラグ差込口からの盗電行為を有効に防止できる。また、屋外壁面側とコンセント本体との間の防水部材が邪魔されて防水機能を滅失させることもない。また、既存の屋外コンセントに対しても容易に装着することができる。
【００１６】
上記発明［２］によると、カバー止着手段が盗電防止カバーの止着状態をロックする機能を有しているため、盗電行為を有効に防止することができるとともに、必要時にはロック機能を解除して、保守点検作業等を行うことができる。
【００１７】
上記発明［３］によると、前記押さえねじの頭が盗電防止カバーの凹部に収容されて臨出しないため、前記押さえねじの頭を指で摘んでねじ戻すことができず、簡素な構造でロック機構を実現することができる。
【００１８】
上記発明［４］によると、前記押さえねじの頭の嵌合部が作業者が使用するねじ回し工具のみに嵌合する形状であるから、第三者である一般の人が所有していることが多い一般的な工具で押さえねじが操作されることがなく、盗電行為を有効に防止することができる。
【００１９】
上記発明［５］によると、屋外コンセントが奥まった位置に設置されているなど屋外コンセントの左右等にスペースがない場合等であっても、ロック機能部を操作して盗電防止カバーを開閉し、保守点検作業等を行うことができる。
【００２０】
上記発明［６］によると、電源プラグの周囲を覆うための盗電防止カバーを取付プレート側のねじ孔を利用したカバー止着手段によりコンセント本体に止着してあるので、盗電防止カバーが開けられない限り、電源プラグを引き抜くことができず、電源プラグ差込口からの盗電行為を有効に防止できる。また、屋外壁面側とコンセント本体との間の防水部材が邪魔されて防水機能を滅失させることもない。
【発明を実施するための最良の形態】
【００２１】
以下、この発明の実施形態を図面に基づいて説明する。
【００２２】
図１は、この発明の一実施形態にかかる屋外コンセント用の盗電防止装置が適用された屋外コンセントを示す外観斜視図である。図２は、同分解斜視図である。図３は、図１のIII−III線に沿った断面図である。
【００２３】
図１〜図３において、この屋外コンセントは、屋外壁面Ｍに固定される取付プレート１と、防水部２と、コンセント本体３と、盗電防止カバー４と、カバー止着手段５とを備えている。また、盗電防止カバー４とカバー止着手段５が盗電防止装置を構成している。なお、本発明において屋外壁面Ｍは、家屋の壁に限らず、自動販売機のような屋外設置機器の近くにある柱状物などの面も含んだ概念である。
【００２４】
前記取付プレート１は、合成樹脂などにより正面形状が四角形の板状に成形されており、中央部には、壁面Ｍ側からの給電線Ｌ，Ｌをコンセント本体３側へ引き出すのを妨げない孔部１ａが形成されるとともに、その孔部１ａの上下両部位には、固定ねじ１３，１４にそれぞれ対応するねじ挿通孔１１，１２がそれぞれ形成されている。
【００２５】
前記上下のねじ挿通孔１１，１２に挿通した固定ねじ１３，１４をそれぞれ壁面Ｍにねじ込むことにより、前記取付プレート１が壁面Ｍに固定される。
【００２６】
さらに、取付プレート１における前記ねじ挿通孔１１，１２の各外側部位には、コンセント本体３を取付プレート１にねじ止めするためのねじ（雄ねじ）１７，１８が螺入されるねじ孔１５，１６がそれぞれ設けられている。
【００２７】
前記防水部２は、コンセント本体３の後面に装着される防水カバー２１と、環状Ｏリング２２とから構成されている。
【００２８】
防水カバー２１は、ゴムなどから正面形状が四角薄板状に成形され、前記取付プレート１における孔部１ａに対応する孔部２１ａが形成されている。さらに、この防水カバー２１における孔部２１ａの上下位置には、後述するボス部に嵌合するボス嵌合孔２３，２４がそれぞれ形成されている。
【００２９】
また、この防水カバー２１の後面には、図４に示すように、前記取付プレート１に外嵌する内周および外周の二重壁２１ｂ，２１ｃが一体形成されており、これら内周壁２１ｂと外周壁２１ｃとの間隙により、前記Ｏリング２２の嵌入凹所２５が構成されている。
【００３０】
また、この防水カバー２１の前面周縁部には、前記コンセント本体３の後面に形成されている嵌合周壁３ａに嵌着される環状の溝部２６が形成されている。
【００３１】
前記コンセント本体３は、ベース部３１と、端子台収容部３２と、端子台３３とを備えている。
【００３２】
前記ベース部３１は、電気絶縁性合成樹脂などにより板状に形成されており、ぞの下部には、前記ねじ孔１６に螺合する雄ねじ１８に対応して、ねじ挿通孔３４が形成されている。
【００３３】
前記端子台収容部３２は、ベース部３１の上端に一体形成されるとともに、後面が開放状態で前方へ張り出されており、その内部には、端子台３３が収容されている。この端子台収容部３２の下面は開放されており、その開口端部には、合成樹脂などにより平面形状がコ字形の庇部３５が接続されている。なお、この庇部３５は、端子台収容部３２に一体形成したものであってもよい。
【００３４】
この端子台収容部３２の上部には、前記雄ねじ１７に対するねじ挿通孔３８が形成されている。また、この端子台収容部３２の上下両端部には、前記ねじ挿通孔３８，３４に貫通されるボス部３ｂ，３ｃが後方向きに突設されている。
【００３５】
前記端子台３３は、電気絶縁性合成樹脂からなり、前記した給電線Ｌ，Ｌが差し込み接続される穴状のソケット部３６，３６が配備されており、この他に、前記電源プラグＰが差し込まれる複数の電源プラグ差込口３７，３７が装備されている。これら電源プラグ差込口３７，３７は、雨水がかかるのを可及的に回避するために、前記庇部３５の内側で略下向きに配置されている。なお、電源プラグＰを電源プラグ差込口３７，３７に差し込んでから一定角度回転させると、この電源プラグＰが抜け止めされるようになっている。
【００３６】
前記盗電防止カバー４は、合成樹脂などにより、上面および後面が開放された略箱形に成形されて、前記コンセント本体３側に着脱可能に装着されるようになっており、装着状態では、その前面４ａ、左右両側面４ｂ，４ｃおよび下面４ｄにより前記庇部３５の下部空間、つまり、電源プラグ差込口３７に差し込まれた電源プラグＰの周辺を取り囲んで該電源プラグ差込口３７からの盗電を防止してある。
【００３７】
この盗電防止カバー４の上部開口端部には、前記コンセント本体３側への装着状態で庇部３５に内嵌される嵌合壁４ｅが形成されており、また、盗電防止カバー４の下面４ｃには、前記電源プラグＰを有する電源コードＰａの引き出しを妨げないように、複数の切り欠き部４１，４１が形成されている。なお、この切り欠き部４１は、前記下面４ｂに形成された複数の切り取り部を形成しておき、作業現場で電源プラグＰの数に応じて前記切り取り部を切り取ることにより形成されたものであるが、生産段階で形成したものであっても差し支えない。
【００３８】
さらに、盗電防止カバー４の前面４ａには、図２および図５に示すように前記コンセント本体３のベース部３１のねじ挿通孔３４に対応する位置に、押さえねじ５１に対するねじ挿通孔４２が形成されるとともに、このねじ挿通孔４２を取り囲んで前記押さえねじ５１の頭５１ａを、その頂面が臨出しない状態に収容される凹部４３が形成されている。
【００３９】
なお、盗電防止カバー４の下面４ｃは、前記切り欠き部４１，４１により雨滴が侵入してもそこに滞るおそれは少ないが、後方に向かうにつれて下降する僅かな傾斜面で構成しておけば、雨滴を素早く確実に排除することができる。
【００４０】
前記カバー止着手段５は、前記取付プレート１におけるねじ孔１６を利用したものであり、具体的には、前記ベース部３１におけるねじ挿通孔３４と前記盗電防止カバー４におけるねじ挿通孔４２との間に介在される棒状スペーサ部材５２と、前記雄ねじ１８と、押さえねじ５１と、取付プレート１側のねじ孔１６とを備えて構成されており、ここでは、盗電防止カバー４の止着状態をロックするロック機能部５Ａを有している。
【００４１】
前記スペーサ部材５２の先端に前記雄ねじ１８が一体形成されており、また、この棒状スペーサ部材５２の基端面には、前記押さえねじ５１が螺入されるねじ孔５３が形成されている。
【００４２】
前記押さえねじ５１をねじ孔５３に螺入した際に、該押さえねじ５１の頭５１ａは、図６に示すように前記凹部４３に収容される。このねじ５１の頭５１は、図５および図６に示すように、前記凹部４３とで前記ロック機能部５Ａを構成しており、施工ないしは保守の作業者が所有する比較的特殊な工具にのみ嵌合する嵌合部が形成されている。具体的には、例えば六角レンチに対応して、この嵌合部は六角穴６ｂ頭となっている。つまり、このねじ５１のねじ締めやねじ戻しは、前記ねじ５１の頭５１ａの六角穴５１ｂに嵌合する六角レンチ（図示せず）に限られている。
【００４３】
つぎに、上記構成の屋外コンセントの施工手順を簡単に説明する。
【００４４】
まず、取付プレート１における上下一対のねじ挿通孔１１，１２にそれぞれ挿通したねじ１３，１４を屋外壁面Ｍに対してねじ込むことにより、該取付プレート１が壁面Ｍに固定される。この時、前記壁面Ｍ側から延びている給電線Ｌ，Ｌの先端側を取り付けプレート１における孔部１ａから前方へ引き出しておく。
【００４５】
一方、コンセント本体３の後面における嵌合周壁３ａに対して防水カバー２１の前面周縁部における環状の溝部２６を嵌めておき、さらに、この防水カバー２１の後面における嵌入凹所２５にＯリング２２を嵌着する。
【００４６】
この状態で、前記給電線Ｌ，Ｌの先端側を防水カバー２１における孔部２１ａを通してから前記コンセント本体３側の端子台３３にあるソケット部３６に挿入すれば、この給電線Ｌ，Ｌが端子台３３に電気的に接続される。
【００４７】
なお、この接続作業時には、雨滴が給電線Ｌ，Ｌを伝わってきた場合を想定して、給電線Ｌ，Ｌの先端部を図３に示すように前記ソケット部３６の手前でＵ字形に湾曲させてあり、これにより、雨滴が前記ソケット部３６に侵入するのが確実に防止される。
【００４８】
この接続作業が終了すれば、防水カバー２１で取付プレート１の周囲を覆うように、コンセント本体３を該防水カバーを介して取付プレート１に重合する。
【００４９】
そして、コンセント本体３におけるねじ孔３８に挿通したねじ１７を前記取付プレート１におけるねじ孔１５に螺入すれば、該コンセント本体３が取付プレート１を介して壁面Ｍに一応固定される。
【００５０】
この取り付け状態では、前記Ｏリング２２が取付プレート１の周囲を包囲した状態で壁面Ｍに押し付けられるので、壁面Ｍからコンセント本体３への雨滴の侵入が防止される。
【００５１】
また、前記コンセント本体３における周壁部３ａが防水カバー２１側の環状の溝部２６に嵌合されているので、壁面Ｍの雨滴侵入の沿面経路が長くなり、高い防水性が確保される。
【００５２】
つぎに、前記盗電防止カバー４の装着作業を行う。
【００５３】
まず、棒状スペーサ部材５２の先端の雄ねじ１８をコンセント本体２の下部側のねじ挿通孔３４に挿通するとともに、取付プレート１におけるねじ孔１６に螺入する。これにより、前記コンセント本体３が完全に取付プレート１を介して壁面Ｍに固定されることになる。
【００５４】
この後、自動販売機の電源コードＰａの先端の電源プラグＰを前記端子台３３におけるプラグ差込口３７に下方から差し込むと、自動販売機等への電力供給が可能となる。
【００５５】
電源プラグＰを差し込んだ後、電源コードＰａが前記盗電防止カバー４における切り欠き部４１から引き出しながら、該盗電防止カバー４の嵌合壁４ｅを前記コンセント本体３における庇部３５に対して下方から嵌合させると、前記棒状スペーサ部材５２の基端側のねじ孔５３が盗電防止カバー４におけるねじ挿通孔４２に対応した状態になる。
【００５６】
このねじ挿通孔４２に前記押さえねじ５１を挿通してスペーサ部材５２のねじ孔５３に螺入すれば、盗電防止カバー４が該押さえねじ５１およびスペーサ部材５２を介してコンセント本体３に装着される。この時、盗電防止カバー４の嵌合壁４ｅが庇部３５に内嵌されているので、該盗電防止カバー４はがたつきなく装着される。
【００５７】
また、この例では、盗電防止カバー４の左右両側面４ｂ，４ｃの各後端面に、壁面Ｍ側に延びる張り出し部４０ｂ，４０ｃを一体形成してあるので、前記押さえねじ５１を螺入操作した際に、張り出し部４０ｂ，４０ｃの各先端面が壁面Ｍ側に押し付けられ、この盗電防止カバー４の取り付け状態が一層安定的に維持される。
【００５８】
前記盗電防止カバー４をコンセント本体３に装着すれば、電源プラグ差込口３７に差し込まれている電源プラグＰは、この盗電防止カバー４でその周囲から覆われる。このため、盗電防止カバー４を外さない限り、電源プラグＰを引き抜くことが不可能である。
【００５９】
この盗電防止カバー４の装着状態は、前記取付プレート１側のねじ孔１６を利用したカバー止着手段５、具体的には、前記取付プレート１側のねじ孔１６に螺合する雄ねじ１８を持ったスペーサ部材５２と押さえねじ５１により止着されており、押さえねじ５１をねじ戻してこのカバー止着状態を解除しない限り、盗電防止カバー４を外せないから、第三者が勝手に電源プラグ差込口３７を使用する盗電行為の企てを十分牽制することが可能となる。
【００６０】
また、このカバー止着手段５は、前記取付プレート１側のねじ孔１６を利用したものであり、取付プレート１側と壁面Ｍとの間に別途部材を介在することもなく、前記防水カバー２１やＯリング２２の役目がそのまま生かされる。従って、防水効果を発揮させつつ、前記盗電を有効に防止できる。
【００６１】
仮に、第三者が敢えて押さえねじ５１の頭５１の頭ａを指で摘んでねじ戻そうとしても、該押さえねじ５１の頭５１ａが図６に示すように、盗電防止カバー４の前面４ａの凹所４３内に完全に収容状態となり、前記盗電防止カバー４の止着状態がロックされることになり、特殊工具を所有する保守作業者以外の第三者では、簡単には、押さえねじ５１をねじ戻すことができず、盗電防止カバー４を外せない。
【００６２】
ところで、この押さえねじ５１が一般的なプラス頭のねじやマイナス頭のねじであれば、第三者の多くが所有しているようなプラスドライバやマイナスドライバにより押さえねじ５１が容易に操作されるおそれがある。
【００６３】
しかし、この例では、その押さえねじ５１の頭５１ａが六角穴頭であり、その六角穴５１ｂに嵌る六角レンチでしか押さえねじ５１をねじ戻すことができない。つまり、自動販売機の保守・点検時などに作業者は、六角レンチを携行していれば、容易に盗電防止カバー４を外して、電源プラグＰを抜いて所定の保守点検作業等が行えるが、第三者では、六角レンチが特殊な工具であってほとんど持ち合わせていることもないから、盗電防止カバー４を外すことができず、従って、電源プラグＰを抜いて盗電されるおそれが解消される。
【００６４】
もちろん、前記押さえねじ５１としては、六角孔頭を有するものに限らず、例えば四角孔頭のねじや四角頭のねじであっても同様の効果を奏する。
【００６５】
なお、この盗電防止カバー４を、図７に示すように、ヒンジ手段、例えば蝶番６０によりコンセント本体３側に装着してもよく、また、図示は省略するが、コンセント本体３の左右両側面と盗電防止カバー４の左右両側面４ｂ，４ｃのいずれか一方に枢軸を設け、他方に前記枢軸にする軸孔を設けて、前記盗電防止カバー４を回動可能に枢支させてもよい。その場合、作業時などに不用意に盗電防止カバー４を落下させるおそれもなくなる。
【００６６】
また、盗電防止カバー４とコンセント本体３とのいずれか一方、例えば図８に示すように、盗電防止カバー４側に弾性係止片７０に設け、他方であるコンセント本体３側に係合部７１を設け、前記弾性係止片７０を係合部７１に係脱可能に係止させて盗電防止カバー４を仮保持させるようにしてもよい。
【００６７】
さらにまた、盗電防止カバー４とコンセント本体３とのいずれか一方、例えば図９に示すように、盗電防止カバー４の左右両側内面に溝条７６，７６を形成し、他方であるコンセント本体３側に前記溝条７６、７６に嵌合する凸条７５，７５を設け、盗電防止カバー４をスライドさせてコンセント本体３に保持させるようにしてもよい。
【００６８】
この例では、上記押さえねじ５１、スペーサ部材５２およびねじ孔５３などが、前記盗電防止カバー４の支持手段を兼ねることになるので、盗電防止カバー４の支持部材などが省け、構成が簡素になる。
【００６９】
ところで、カバー止着手段５としては、前記のような頭５１ａに特殊な穴５１ｂが形成された押さえねじ５１を使用することに限定されるものではない。例えば、図１０に示すように、盗電防止カバー４の凹部４３に頭８１ａが十分入り込む押さえねじ８１を使用し、施工時に盗電防止カバー４を装着した後、第三者が押さえねじ８１を操作できないように、凹部４３にコルクなどからなる栓体８２を圧入して詰めてしまい、保守時には、栓抜きのような特殊な工具Ｎの先端を栓体８２に食い込ませてから抜き取るようにしたものであってもよい。その場合、前記凹部４３と栓体８２とで前記ロック機能部５Ａが構成されることになる。なお、栓体８２は、簡単で安価に製作できるので、繰り返し使用するものに限らず、使い捨てするものであってもよい。
【００７０】
また、カバー止着手段５としては、前述した押さえねじ５１，８１を使うものに限定されるものでなく、例えば図１１に示すように、スペーサ部材５２の基端側に縮径癖がついた複数の弾性係止片９１，９１を設け、盗電防止カバー４を装着状態でねじ挿通孔４２を貫通した弾性係止片９１，９１間に栓体９２を押し込んで該弾性係止片９１，９１を拡径させて凹部４３の底面に係止されるようにしてもよい。この場合、前記凹部４３と栓体９２とで前記ロック機能部５Ａが構成される。そして、保守時などには、作業者が前記栓抜きなどの工具Ｎにより前記栓体９２を抜き取れば、前記弾性係止片９１，９１が縮径して係合が解除されるので、盗電防止カバー４を外すことができる。
【００７１】
さらに、カバー止着手段５としては、前記棒状スペーサ部材５２を使うものに限られるものはなく、前記盗電防止カバー４に挿通した長寸の押さえねじ５１を前記取り付けプレート１のねじ孔１６に螺合させる構成であってもよい。
【００７２】
ところで、上記各実施形態では、コンセント本体３における上下のねじ孔１５，１６のうちの下側のねじ孔１６を利用したもので説明したが、盗電防止カバー４の一部が上側のねじ挿通穴３８の位置まで延出されるとともに、該盗電防止カバー４を別途支持手段でコンセント本体３に支持できるようにしてあれば、前記上側のねじ孔１５を利用してカバー止着手段５を構成することも可能である。
【００７３】
また、前記スペーサ部材５２を使用するとともに、このスペーサ部材５２に対して盗電防止カバー４の側部から押さえねじ５１などで止着する構成も可能である。その場合、前記取付プレート１が自動販売機などの設置機器に極めて隣接して固定されている場合などにねじ込み操作などが困難になる状況も考えられるが、上記実施形態のように、盗電防止カバー４の前面４ａ側から押さえねじ５１などを操作するようにしてあると、取付プレート１が設置機器に近接していた場合でも、ねじ込み操作などが支障なく行える。
【図面の簡単な説明】
【００７４】
【図１】本発明の一実施形態にかかる屋外コンセント用の盗電防止装置が適用された屋外コンセントを示す斜視図である。
【図２】同じく屋外コンセントを示す分解斜視図である。
【図３】図１のIII−III線に沿った断面図である。
【図４】同じく屋外コンセントにおける防水カバーなどを後面から見た斜視図である。
【図５】カバー止着手段における構成部材を示す斜視図である。
【図６】押さえねじの螺合部位を示す拡大断面図である。
【図７】盗電防止カバーをヒンジ手段によりコンセント本体に支持させた屋外コンセントを示す斜視図である。
【図８】同じく盗電防止カバーを弾性係止片によりコンセント本体に支持する例の説明図である。
【図９】同じく盗電防止カバーをスライド構造によりコンセント本体に支持する例の説明図である。
【図１０】押さえねじの頭を栓体で隠す例を示す断面図である。
【図１１】カバー止着手段の別の例を示す断面図である。
【符号の説明】
【００７５】
１  取付プレート
３  コンセント本体
４  盗電防止カバー
５，８１  カバー止着手段
５Ａ  ロック機能部
１６（１５）  取付プレートのねじ孔
１８（１７）  雄ねじ
２１，２２  防水部材
３５  庇部
３７  電源プラグ差込口
４３  凹部
５１，８２  押さえねじ
５１ａ  押さえねじの頭
５１ｂ  押さえねじの頭の穴
５２  棒状スペーサ部材
５３  ねじ孔
Ｍ  壁面
Ｐ  電源プラグ
【図１】
2005259411.tif 000003
【図２】
2005259411.tif 000004
【図３】
2005259411.tif 000005
【図４】
2005259411.tif 000006
【図５】
2005259411.tif 000007
【図６】
2005259411.tif 000008
【図７】
2005259411.tif 000009
【図８】
2005259411.tif 000010
【図９】
2005259411.tif 000011
【図１０】
2005259411.tif 000012
【図１１】
2005259411.tif 000013